(57)【特許請求の範囲】
【請求項１】
車体前方の左右に設けられるドラムと、
回転するドラムの外周部分に設けられた刈取刃と、
当該ドラムの前方に設けられ、圃場の作物を刈取刃側に導く複数のデバイダーとを備え、
当該ドラムを回転させながら圃場を走行することによって、前記デバイダーの先端側に設けられた分草部で条に沿った作物を刈取刃側に導いて作物を刈り取る作物刈取機構において、
前記左右に設けられたドラムの中央隙間位置側に、分草部を有するデバイダーを着脱可能に取り付けるとともに、
当該左右に設けられたドラムの中央隙間位置に、左右のドラムの刈取刃とオーバーラップする幅を有する分草部を取り付けるようにしたことを特徴とする作物刈取機構。
【請求項２】
当該左右に設けられたドラムの中央隙間位置に、左右のドラムの刈取刃とオーバーラップする幅を有する分草部を取り付けた場合、当該分草部の左右に隣接するデバイダーの分草部を取り外して使用するようにした請求項１に記載の作物刈取機構。
【発明の詳細な説明】
【技術分野】
【０００１】
本発明は、トウモロコシや稲、麦などの種類の異なる飼料用作物を刈り取って細断できるようにした作物細断装置の作物刈取機構に関するものであり、より詳しくは、条間の異なる作物を刈り取る際に刈取高を均一にできるようにした作物刈取機構に関するものである。
【背景技術】
【０００２】
従来より、トウモロコシや稲、麦などの異なる種類の飼料用作物を刈り取って細断できるようにした作物細断装置がある（特許文献１など）。このような作物細断装置のうち、車体前方のドラムを回転させて作物を刈り取る装置の刈取機構について図１０や図１１を用いて説明する。
【０００３】
図１０や図１１において、符号８は刈取機構であって、縦軸方向を中心として回転する一対のドラム８１と、これら一対のドラム８１の前方側に突出するように設けられたデバイダー８２とを有するように構成される。このドラム８１の外周部分には、回転可能に設けられた刈取刃８３や、その刈取刃の上方で作物を回転方向に移動させる爪８４などが設けられており、一方、デバイダー８２は、ドラムの下方から前方側に向けて伸びるアーム８５と、そのアームの先端部分に取り付けられた分草部８６とを設けて構成される。そして、このようなドラム８１を用いてトウモロコシなどの作物を刈り取る場合、圃場の条に沿って車体を走行させ、作物を分草部８６で草分けした状態で刈取刃８３まで導いて刈取刃８３で刈り取る。そして、このように刈り取った作物を、左右のドラム８１の中央部分に集めて株元から搬送部に引き込んで細断した後、シューターを介して車体後方に排出させるようにしている。
【先行技術文献】
【特許文献】
【０００４】
【特許文献１】意匠登録第１４７０５１０号公報
【発明の概要】
【発明が解決しようとする課題】
【０００５】
ところで、このような刈取機構を用いて作物を細断する場合、次のような問題がある。
【０００６】
すなわち、このような刈取機構８を車体前方に取り付ける場合、ドラム８１を前方に傾けた状態で車体に取り付けることがある。しかしながら、このようにドラム８１を前方に傾けた状態で取り付けると、例えば、稲や麦などのように条間の狭い作物を刈り取るような場合、図１１の下図に示すように、ドラム８１の前方部分では刈取高さが低くなってしまい、逆に、ドラム８１の側方付近では刈取高さが高くなってしまう。そして、このように刈取高が高くなってしまうと、収穫に無駄を生じてしまうばかりでなく、圃場での見栄えが悪くなったり、あるいは、その後の耕運作業時に土壌を均一に耕すのに時間がかかったりするといった問題があった。
【０００７】
また、このようにドラムを前方に傾斜させる場合のみならず、ドラムを水平な状態に取り付ける場合においても、分草部の先端部分が作物に当たってしまうと、そのまま倒伏して刈り残しを生じたり、あるいは、作物が左右に分かれて茎が折れ曲がった状態で刈り取られたり、さらには、そのまま起立した状態で刈り取られたりすることで、刈取高が不均一になってしまうといった問題もある。
【０００８】
そこで、本発明は上記課題に着目して、条間が異なる作物を刈り取る場合においても、刈り残しがなく、また、均一な刈取高で作物を刈り取れるようにした作物刈取機構を提供することを目的とする。
【課題を解決するための手段】
【０００９】
すなわち、本発明は上記課題を解決するために、車体前方の左右に設けられるドラムと、回転するドラムの外周部分に設けられた刈取刃と、当該ドラムの前方に設けられ、圃場の作物を刈取刃側に導く複数のデバイダーとを備え、当該ドラムを回転させながら圃場を走行することによって、前記デバイダーの先端側に設けられた分草部で条に沿った作物を刈取刃側に導いて作物を刈り取る作物刈取機構において、前記左右に設けられたドラムの中央隙間位置側に、分草部を有するデバイダーを着脱可能に取り付けるとともに、当該左右に設けられたドラムの中央隙間位置に、左右のドラムの刈取刃とオーバーラップする幅を有する分草部を取り付けるようにしたものである。
【００１０】
また、このような発明において、当該左右に設けられたドラムの中央隙間位置に、左右のドラムの刈取刃とオーバーラップする幅を有する分草部を取り付けた場合、当該分草部の左右に隣接するデバイダーの分草部を取り外して使用するようにしたものである。
【発明の効果】
【００１１】
本発明によれば、条間の異なる作物を刈り取る場合に、その条間に対応した状態で分草部を取り付けて刈り取ることができるようになる。また、仮にドラムが前方に傾斜して取り付けられている場合であっても、刈取高の低い部分に作物を寄せるように分草部を配置することで、低い位置で刈り取るようにすることができる。
【図面の簡単な説明】
【００１２】
【図１】本発明の一実施の形態を示す作物収穫装置を示す側面概略図
【図２】同形態における刈取機構の平面図
【図３】同形態における刈取機構を下から見た図
【図４】同形態における搬送機構を示す図
【図５】同形態における細断機構を示す図
【図６】同形態における車体前方左側のドラムに取り付けられる支持部とデバイダーを示す図
【図７】同形態における中央デバイダーに着脱中央デバイダーを取り付ける状態図
【図８】同形態における条間の広い作物を刈り取る際の刈取機構を示す図
【図９】同形態における条間の狭い作物を刈り取る際の刈取機構を示す図
【図１０】条間の広い作物を刈り取る際の刈取高を示す図
【図１１】条間の狭い作物を刈り取る際の刈取高を示す図
【発明を実施するための形態】
【００１３】
以下、本発明の実施の形態について図面を参照して説明する。
【００１４】
まず、この実施の形態における作物収穫装置１は、図１に示すように、縦軸を中心に回転する左右のドラム２１を用いて作物を刈り取る刈取機構２と、この刈取機構２で刈り取られた作物を株元側から内側に引き込んで搬送させる搬送機構４（図４参照）と、この搬送機構４で搬送された作物を細断する細断機構５（図５参照）とを備え、この細断機構５で細断された作物を車体後方に排出させて飼料用作物として供給できるようにしたものであって、特徴的に、車体前方のドラム２１を前傾させて車体に取り付けた場合に、そのドラム２１の前方側に設けられたデバイダー３を着脱可能に取り付けることで、分草部３２の取付状態を変更できるようにしたものである。そして、このように分草部３２の取付状態を変更することによって、条間の狭い作物を刈り取る際には、図９に示すように、ドラム２１の刈取刃２２の低い位置にその作物を寄せるように分草部３２の配置状態を変更し、これによって刈取高を低くした状態で刈り取れるようにしたものである。以下、第一の実施の形態における作物収穫装置１とその刈取機構２について詳細に説明する。
【００１５】
まず、作物収穫機の刈取機構２は、車体前方に取り付けられるものであって、ここでは、図２などに示すように、縦軸を中心に回転する左右一対のドラム２１と、そのドラム２１の前方側に設けられるデバイダー３などを有するように構成されている。このドラム２１は、外周部分に設けられる複数の刈取刃２２と、その刈取刃２２の上側に設けられる複数の爪２３などを設けて構成されており、これらを回転させることによって作物を刈り取りながら爪２３で回転方向に移動させるようになっている。また、左右のドラム２１の前方に設けられるデバイダー３は、図３などに示すように、このドラム２１の下方側に設けられた支持部２４から前方側に伸びるアーム３１と、そのアーム３１の先端側に設けられた分草部３２とを有するように構成されており、この分草部３２で圃場の作物を草分けして刈取刃２２まで導けるようになっている。この分草部３２には、作物を車体中央方向に向けて作物を寄せられるようにした傾斜部３３が設けられており、これによって作物を車体中央方向に寄せながら刈取刃２２まで導けるようにしている。また、左右のドラム２１の中央隙間部分に設けられる中央デバイダー３ｃは、起立片３４の上部に、中央隙間幅に相当する大きさの菱形の分草部３２が設けられており、この分草部３２によって作物を左右の刈取刃２２側に寄せて刈り取れるようにしている。このように左右のデバイダー３の前方に設けられた分草部３２で作物が草分けされた状態で刈取刃２２まで導かれると、刈取刃２２によって刈り取られるようになるが、この際、刈り取られなかった作物については、爪２３などによって回転方向に搬送され、株元付近がアーム３１に固定された状態で刈取刃２２によって刈り取られるようになる。また、左右のドラム２１の中央隙間部分で刈り取られる作物については、中央デバイダー３ｃの分草部３２で左右に草分けされ、刈取刃２２で刈り取られるようになる。このような分草部３２で草分けられて刈り取られた作物は、全体的に車体の中央方向に集められ、ドラム２１の上方側に設けられた傾倒バー２５に作物の上部が当てられた状態で株元から搬送部に引き込まれる。
【００１６】
一方、搬送機構４は、このような刈取機構２によって刈り取られた作物を搬送して、下流側に設けられた細断機構５で細断できるようにしたものであって、ここでは、図４に示すように、上下一対のローラで構成された第一搬送ローラ部４１と、その下流側の上下一対のローラで構成された第二搬送ローラ部４２とを設けることで作物を水平な状態にして細断機構５まで搬送させるようにしている。
【００１７】
このうち、前方側の第一搬送ローラ部４１は、下側の固定ローラ４１ａと上側の可変ローラ４１ｂを設けて構成されており、これら固定ローラ４１ａと可変ローラ４１ｂの隙間に作物を挟み込んで搬送させるようにしている。これらの固定ローラ４１ａと可変ローラ４１ｂには、前方の刈取機構２によって刈り取られた作物を確実に取り込めるように、間欠的な突起片を外周面の軸方向に設けるようにしており、これによって確実に作物を取り込んで、可変ローラ４１ｂで上下方向から作物を挟み込めるようにしている。
【００１８】
一方、下流側の第二搬送ローラ部４２は、第一搬送ローラ部４１と同様に、上側の固定ローラ４２ａと下側の可変ローラ４２ｂを設けて構成されており、こられ固定ローラ４２ａと可変ローラ４２ｂの隙間に作物を挟み込むことで、第一搬送ローラ部４１との間で挟まれた作物を茎軸方向に搬送させるようにしている。
【００１９】
この細断機構５は、図５に示すように、この搬送機構４によって搬送された作物を細断できるようにしたものであって、車体左右方向の軸を中心として回転するシリンダ５１と、このシリンダ５１の外周部分に設けられるシリンダカッター５２と、第二搬送ローラ部４２における固定ローラ４２ａの後方側に設けられる固定刃５３とを設けて構成されており、このシリンダカッター５２を高速回転させることによって、固定刃５３との間に作物を挟み込んで細断させるようにしている。このシリンダ５１には、細断された作物を吹き上げるための複数の羽根５４が取り付けられており、このシリンダ５１を高速回転させることで、細断された作物をそのまま上方に吹き上げてシューター６を介して車体後方に排出させるようにしている。
【００２０】
この車体後方には、ロール成形部７（図１参照）が設けられており、このロール成形部７に作物を取り込んで円柱状のロールベールを形成できるようにしている。なお、ここでは車体後方にロール成形部７を設けるようにしているが、車体後方を荷台にしておき、そこに細断された作物を積み込んで別途ロールベールを形成できるようにしてもよい。
【００２１】
ところで、このように刈り取った作物を細断する際、シリンダカッター５２で作物を細断する構成を用いると、図５に示すように、固定刃５３をシリンダ５１の中心位置の前方側という高い位置に設ける必要があるため、どうしても作物を高い位置で細断しなければならない。一方、作物の刈取位置は地面の低い部分にあるため、刈取機構２や搬送機構４などを傾斜させて作物を斜め上方に搬送させる必要がある。しかしながら、このように刈取機構２などを傾斜させると、条間の狭い作物を刈り取る場合、ドラム２１の前方側では刈り取高が低くなってしまい、一方、ドラム２１の側方部分での刈取高が高くなってしまうことになる。このため、この実施の形態では、こられの刈取高の差をできるだけ小さくできるように分草部３２の取付状態を変更できるようにしている。
【００２２】
このような分草部３２の取付状態を変更する場合の状態を、トウモロコシなどのような条間の広い作物を刈り取る場合や、稲や麦などのような条間の狭い作物を刈り取る場合について説明する。
【００２３】
＜条間の広い作物を刈り取る場合＞
【００２４】
まず、トウモロコシなどのような条間が７５ｃｍ前後の作物を刈り取る場合、図８に示すように、各ドラム２１の支持部２４に左右四本ずつのデバイダー３を取り付けておく。そして、圃場を走行することによって、各ドラム２１で一条ずつ作物を刈り取るようにするが、この際、左右四本ずつ設けられたデバイダー３の中央部分（すなわち、二本目と三本目のデバイダー３の間）に作物を取り込んで刈り取るようにする。そして、分草部３２の傾斜部３３に作物を当てて、作物を車体中央側に寄せて刈り取れるようにする。
【００２５】
＜条間の狭い作物を刈り取る場合＞
【００２６】
一方、稲や麦などのような条間が３０ｃｍという狭い作物を刈り取る場合、図９に示すように、左右のドラム２１で三条ずつの作物を刈り取るようにするが、このとき各ドラム２１の真中の一条については刈取刃２２の低い位置で刈り取られ、また、車体外側の一条は外側の分草部３２の傾斜部３３で車体中央方向に寄せられて刈り取られることになる。すなわち、真中の一条と車体外側の一条は、刈取高がある程度低い状態で刈り取られることになる。これに対して、車体中央付近の一条については、仮に、四本のデバイダー３、３ａを設けた状態（図８の状態）で刈り取った場合は、車体中央付近のデバイダー３ａの分草部３２でさらに車体中央方向に作物が寄せられることになり、左右のドラム２１の隙間近傍で刈り取られて、刈取高が高くなってしまう（図１１のような状態）。そこで、この実施の形態では、図９に示すように、車体中央部分に一番近い側のデバイダー３ａを支持部２４から取り外してその条の作物をそのまま刈取刃２２に当てられるようにするとともに、左右のドラム２１の中央隙間部分に位置する中央デバイダー３ｃに、左右幅のより大きな分草部３２を有する着脱中央デバイダー３ｂを取り付けるようにする。そして、このように左右幅の大きな分草部３２を取り付けることによって、その中央付近に位置する条の作物を可能な限り刈取刃２２の低い位置に寄せて刈り取れるようにしている。ここで、着脱中央デバイダー３ｂの分草部３２の幅については、左右のドラム２１の刈取刃２２にオーバーラップする大きさにしておき、これによって、その分草部３２に当たった作物を刈取刃２２の前方に寄せられるようにしておく。
【００２７】
このドラム２１の前方側の車体中央部分に一番近い側のデバイダー３（以下、「着脱デバイダー３ａ」と称する）を着脱する場合、図６に示すように、ドラム２１の下方に設けられた支持部２４に、着脱デバイダー３ａのアーム３１を挿入するための挿入穴３６を設け、ここに着脱デバイダー３ａのアーム３１を挿入できるようにする。この挿入穴３６の近傍には、アーム３１の挿入状態を固定するためのフランジ部３７ａが設けられており、ここにアーム３１に設けられたフランジ部３７ｂを面接触させてボルトで着脱可能に固定できるようにしている。
【００２８】
一方、左右のドラム２１の中央隙間部分に設けられる着脱中央デバイダー３ｂを取り付ける場合は、図７に示すように、着脱中央デバイダー３ｂの分草部３２の上面に設けられた起立溝３５を中央デバイダー３ｃの起立片３４に差し込み、側方からボルトを挿入して固定できるようにしている。
【００２９】
このような構成において、稲や麦などの条間の狭い作物を刈り取る場合、図９に示すように、ドラム２１の車体中央部分に一番近い側の着脱デバイダー３ａを支持部２４から取り外すとともに、中央デバイダー３ｃに左右幅の大きい分草部３２を有する着脱中央デバイダー３ｂを取り付けるようにする。
【００３０】
そして、このような状態に分草部３２を配置して、ドラム２１を回転させながら車両を条に沿って走行させる。すると、各ドラム２１の中央前方位置に存在する作物は、デバイダー３の分草部３２によって車体中央方向に寄せられながら低い位置で刈り取られ、また、車体外側に位置する条の作物は、デバイダー３の分草部３２の傾斜部３３によって車体中央方向に寄せられて刈取刃２２の比較的低い位置で刈り取られる。
【００３１】
一方、車体中央側に位置する条の作物については、着脱デバイダー３ａが存在しないために、そのまま刈取刃２２に当たり、その位置で刈り取られるか、あるいは、ドラム２１の回転方向に移動して、着脱中央デバイダー３ｂの左右広い分草部３２に当たって刈取刃２２の前方側で刈り取られるようになる。これにより、その作物を低い位置で刈り取れるようになる。
【００３２】
＜刈り取り後の処理＞
【００３３】
そして、この刈取機構２で刈り取られた作物については、ドラム２１の爪２３によって車体中央方向に集められ、傾倒バー２５に上方部分が当てられた状態で株元側から搬送機構４に取り込まれていく。
【００３４】
このように作物が搬送機構４に作物が取り込まれると、第一搬送ローラ部４１と第二搬送ローラ部４２の前後位置で作物が上下方向から挟み込まれ、前後方向に作物を固定した状態で下流側の細断機構５まで搬送されるようになる。
【００３５】
そして、このように作物が細断機構５まで搬送されると、第二搬送ローラ部４２の固定ローラ４２ａで上下方向の動きが抑えられた状態で固定刃５３に作物が導かれ、下方から回転してくるシリンダカッター５２で作物が細断される。そして、この細断された作物を、羽根５４による風圧で上方に吹き上げ、シューター６を介して車体後方に排出され、車体後方のロール成形部７で飼料用のロールベールを成形する。
【００３６】
このように上記実施の形態によれば、車体前方の左右に設けられるドラム２１と、回転するドラム２１の外周部分に設けられた刈取刃２２と、当該ドラム２１の前方に設けられ、圃場の作物を刈取刃２２側に導く複数の分草部３２を有するデバイダー３、３ａ、３ｂ、３ｃとを備え、当該ドラム２１を回転させながら圃場を走行させることによって前記デバイダー３、３ａ、３ｂ、３ｃの分草部３２を用いて作物を刈取刃２２側に導き、刈取刃２２で作物を刈り取れるようにした刈取機構２において、前記左右に設けられたドラム２１の中央隙間位置側に、分草部３２を有するデバイダー３ａを着脱可能に取り付けるとともに、当該左右に設けられたドラム２１の中央隙間位置に、左右のドラム２１の刈取刃２２とオーバーラップする幅を有する分草部３２を取り付けるようにしたので、条間の異なる作物を刈り取る場合に、その条間に対応した状態で分草部３２を取り付けて刈り取ることができるようになる。これにより、ドラム２１を前方に傾斜させている場合であっても、図９などに示すように、刈取高の低い部分に作物を寄せるように分草部３２を配置することで、低い位置で刈り取るようにすることができる。また、その分草部３２で作物を左右に振り分けてドラム２１の前方側で刈り取ることができ、刈取刃２２の低い位置で刈り取ることができるようになる。
【００３７】
なお、本発明は上記実施の形態に限定されることなく、種々の態様で実施することができる。
【００３８】
例えば、上記実施の形態では、着脱デバイダー３ａを支持部２４に着脱できるようにすることで分草部３２の取付状態を変更できるようにしたが、これ以外の方法として、ドラム２１の下方に設けられた支持部２４に車体左右方向のスライド溝を設けておき、そのスライド溝に沿って左右方向の任意な位置にアーム３１の基端部をスライドさせて固定できるようにしてもよい。
【００３９】
あるいは、このようなスライド溝を設けるのではなく、複数の挿入穴を設けておき、それらの挿入穴のいずれかを選択してアームを挿入することでデバイダー３の取付位置を変更できるようにしてもよい。
【００４０】
また、このようにデバイダー３ごと取付位置を変更する場合のみならず、分草部３２をアーム３１の軸を中心に１８０度回転させることによって傾斜部３３を反転させ、これによって車体中央付近の分草部３２で作物を車体外側に導き、これによって作物を刈取刃２２の前方側に導いて低い位置で刈り取れるようにしてもよい。このような分草部３２を反転させて取り付ける場合、アーム３１に対して分草部３２を挿入可能に取り付けておき、その分草部３２を反転させてアーム３１の先端に挿入させて固定させることで分草部３２の取付状態を変更させるようにするとよい。
【００４１】
さらに、上記実施の形態では、中央デバイダー３ｃを取り付けた状態で、さらに着脱中央デバイダー３ｂを取り付けるようにしたが、この中央デバイダー３ｃを取り外してから着脱中央デバイダー３ｂを取り付けるようにしてもよい。
【００４２】
また、上記実施の形態では、ドラム２１を傾斜させた際の分草部３２の取付状態を変更する場合について説明したが、ドラム２１が水平な状態の構造においても、分草部３２の位置や角度などを変更できるようにして、条間の異なる作物に対応できるようにしてもよい。
【符号の説明】
【００４３】
１・・・作物収穫装置
２（８）・・・刈取機構
２１（８１）・・・ドラム
２２・・・刈取刃
２３・・・爪
２４・・・支持部
３、３ａ、３ｂ、３ｃ・・・デバイダー
３１・・・アーム
３２・・・分草部
３３・・・傾斜部
３４・・・起立片
３５・・・起立溝
３６・・・挿入穴
３７ａ、ｂ・・・フランジ部
４・・・搬送機構
５・・・細断機構
【図１】
0006644590.tif 000002
【図２】
0006644590.tif 000003
【図３】
0006644590.tif 000004
【図４】
0006644590.tif 000005
【図５】
0006644590.tif 000006
【図６】
0006644590.tif 000007
【図７】
0006644590.tif 000008
【図８】
0006644590.tif 000009
【図９】
0006644590.tif 000010
【図１０】
0006644590.tif 000011
【図１１】
0006644590.tif 000012